(57)【要約】      （修正有）【課題】出力インピーダンスを伝送インピーダンス及び受信インピーダンスに效率的にマッチングさせることができる出力ドライバーを提供する。【解決手段】モードレジスターセットを用いてインピーダンスを制御する出力ドライバーが掲示される。本発明の出力ドライバーは、データ信号によるメイン信号を所定の伝送線で出力及びドライビングするメインドライビング回路、補助信号を前記伝送線で出力及びドライビングする補助ドライビング回路及びモードレジスターセットを備える。モードレジスターセットは、インピーダンス制御信号群、ドライビング幅制御信号群及び遅延制御信号群を生成する。前記インピーダンス制御信号群、前記ドライビング幅制御信号群及び前記遅延制御信号群によって、補助インピーダンス（ＳＩＭ）の大きさ、補助信号（ＸＳＤＲ）のドライビング幅及びドライビング時点に対する制御が可能である。【選択図】図２
2007104664.tif 000002
【特許請求の範囲】
【請求項１】
所定のメイン信号と補助信号の結合による出力信号を所定の伝送線に発生する出力ドライバーにおいて、
所定のメインインピーダンスで、受信されるデータ信号に応じた前記メイン信号を前記伝送線に発生するメインドライビング回路と、
前記メイン信号の前記伝送線での発生初期に前記出力信号を強化するための補助ドライビング回路であって、所定の補助インピーダンスで、前記データ信号に応じた補助信号を前記伝送線に発生する前記補助ドライビング回路と、
所定の外部制御信号群に対応して論理状態が制御されるインピーダンス制御信号群を発生するモードレジスターセットと、を備え、
前記補助インピーダンスは、前記インピーダンス制御信号群によって制御可能であることを特徴とする出力ドライバー。
【請求項２】
前記補助ドライビング回路は、
所定のプルアップ制御信号に応答して前記補助信号をプルアップし、所定のプルダウン制御信号に応答して前記補助信号をプルダウンする初期強化ドライビング部と、
前記データ信号に応答して、前記プルアップ制御信号及び前記プルダウン制御信号を提供するドライビング制御信号発生部と、を備えることを特徴とする請求項１に記載の出力ドライバー。
【請求項３】
前記初期強化ドライビング部は、
前記プルアップ制御信号によって前記補助信号をプルアップするように駆動されるプルアップ駆動手段と、
前記プルダウン制御信号によって前記補助信号をプルダウンするように駆動されるプルダウン駆動手段と、を備え、
前記プルアップ駆動手段と前記プルダウン駆動手段のコンダクタンスは、
前記インピーダンス制御信号群によって調整されることを特徴とする請求項２に記載の出力ドライバー。
【請求項４】
前記初期強化ドライビング部は、
各々が前記プルアップ制御信号に応じて前記補助信号をプルアップするように駆動され、前記プルダウン制御信号に応じて前記補助信号をプルダウンするように駆動される複数個のドライビング手段を備え、
前記複数個のドライビング手段の中の少なくとも何れか一つは、
自身に対応するインピーダンス制御信号群の信号に応じてイネーブルされることを特徴とする請求項２に記載の出力ドライバー。
【請求項５】
所定のメイン信号と補助信号の結合による出力信号を所定の伝送線に発生する出力ドライバーにおいて、
所定のメインインピーダンスで、受信されるデータ信号に応じた前記メイン信号を前記伝送線に発生するメインドライビング回路と、
前記メイン信号の前記伝送線での発生初期に前記出力信号を強化するための補助ドライビング回路であって、所定の補助インピーダンスで、前記データ信号に応じた補助信号を前記伝送線で発生する前記補助ドライビング回路と、
所定の外部制御信号群に対応して論理状態が制御されるインピーダンス制御信号群を発生するモードレジスターセットと、を備え、
前記補助信号のドライビング幅は、前記ドライビング幅制御信号群によって調整されることを特徴とする出力ドライバー。
【請求項６】
前記補助ドライビング回路は、
前記データ信号に応答してプルアップ制御信号及びプルダウン制御信号を提供するドライビング制御信号発生部と、
前記プルアップ制御信号に応答して前記補助信号をプルアップし、前記プルダウン制御信号に応答して前記補助信号をプルダウンする初期強化ドライビング部と、
を備えることを特徴とする請求項５に記載の出力ドライバー。
【請求項７】
前記ドライビング制御信号発生部は、前記データ信号に応答して、前記プルアップ制御信号を発生するプルアップ発生手段と、前記プルダウン制御信号によって前記補助信号をプルダウンするように駆動されるプルダウン発生手段と、を備え、
前記プルアップ発生手段と前記プルダウン発生手段は、
前記ドライビング幅制御信号群に応じて、各々前記プルアップ制御信号及び前記プルダウン制御信号のドライビング幅を制御するように駆動されることを特徴とする請求項６に記載の出力ドライバー。
【請求項８】
所定のメイン信号と補助信号の結合による出力信号を所定の伝送線で発生する出力ドライバーにおいて、
所定のメインインピーダンスで、受信されるデータ信号に応じた前記メイン信号を前記伝送線で発生するメインドライビング回路と、
前記メイン信号の前記伝送線での発生初期に前記出力信号を強化するための補助ドライビング回路であって、所定の補助インピーダンスで、前記データ信号に応じた補助信号を前記伝送線で発生する前記補助ドライビング回路と、
所定の外部制御信号群に対応して論理状態が制御されるインピーダンス制御信号群を発生するモードレジスターセットと、を備え、
前記補助信号のドライビング時点は、前記遅延制御信号群によって調整されることを特徴とする出力ドライバー。
【請求項９】
前記補助ドライビング回路は、
前記データ信号に応答してプルアップ制御信号及びプルダウン制御信号を提供するドライビング制御信号発生部と、
前記プルアップ制御信号に応答して前記補助信号をプルアップし、前記プルダウン制御信号に応答して前記補助信号をプルダウンする初期強化ドライビング部と、を備えることを特徴とする請求項８に記載の出力ドライバー。
【請求項１０】
前記ドライビング制御信号発生部は、
前記データ信号に応答して、窮極的に前記プルアップ制御信号の活性化時点を引き延ばすように駆動されるプルアップ遅延手段と、
前記データ信号に応答して、窮極的に前記プルダウン制御信号のドライビング時点を引き延ばすように駆動されるプルダウン遅延手段と、を備え、
前記プルアップ発生手段と前記プルダウン発生手段は、
前記遅延制御信号群に応じて、各々前記プルアップ制御信号及び前記プルダウン制御信号のドライビング時点を制御するように駆動することを特徴とする請求項９に記載の出力ドライバー。
【発明の詳細な説明】
【技術分野】
【０００１】
本発明は、電子回路に係り、特に受信システムに效率的にデータを伝送するための出力ドライバーに関する。
【背景技術】
【０００２】
データ信号を含めた多様な信号は、伝送線を通じて、送信システムから受信システムに伝送される。一般的に、送信システムは、伝送されるデータを效率的に送信するために、出力ドライバーを内蔵する。この場合、出力ドライバーの出力インピーダンスは、伝送線の伝送インピーダンス及び受信システムの受信インピーダンスに相応する値を有するように設計されることが非常に重要である。そして、ドライビング初期の伝送される信号の強化（ｅｍｐｈａｓｉｓ）のために、別途の補助信号を発生する初期強化（ｐｒｅ−ｅｍｐｈａｓｉｓ）技術が広く利用されている。このような、初期強化技術を通じて、伝送される信号の伝送效率が向上されうる。この時、補助信号を発生する補助出力端のインピーダンスの大きさ、補助信号のドライビング幅及びドライビング時点などは、伝送される信号を発生するメイン出力端のインピーダンス及び伝送データのドライビング時点などに適切にマッチングされることが非常に重要である。もし、適切なマッチングが成り立つことができない場合には、送信される信号は歪みうる。
【０００３】
図１は、従来の出力ドライバーを示す図面である。図１において、メインドライビング回路１０は、データ信号（ＤＡＴ）に応じてメイン信号（ＸＭＤＲ）を伝送線１にドライビングし、メインドライビング回路１０の出力端は、メインインピーダンス（ＭＩＭ）を有する。そして、補助ドライビング回路２０のＰＭＯＳトランジスター２１は、プルアップ発生手段３１から提供されるプルアップ制御信号（／ＵＰＣＯＮ）に応じて補助信号（ＸＳＤＲ）をプルアップする。そして、補助ドライビング回路２０のＮＭＯＳトランジスター２３は、プルダウン発生手段２７から提供されるプルダウン制御信号（ＤＮＣＯＮ）に応じて補助信号（ＸＳＤＲ）をプルダウンする。この時、補助ドライビング回路２０は、データ信号（ＤＡＴ）の伝送初期に、補助信号（ＸＳＤＲ）をメイン信号（ＸＭＤＲ）と同一な方向にドライビングするように駆動される。
【０００４】
その結果、データ信号（ＤＡＴ）に応じて駆動されるメイン信号（ＸＭＤＲ）は、ドライビング初期に、補助信号（ＸＳＤＲ）によって強化されて出力信号（ＤＯＵＴ）として生成される。
【０００５】
ところが、図１の出力ドライバーにおいて、補助ドライビング回路２０の出力端におけるインピーダンスである補助インピーダンス（ＳＩＭ）は固定的である。したがって、メインインピーダンス（ＭＩＭ）と補助インピーダンス（ＳＩＭ）との結合で形成される出力インピーダンス（ＯＩＭ）も固定的である。
【０００６】
したがって、従来の出力ドライバーでは、出力インピーダンス（ＯＩＭ）を伝送線１の伝送インピーダンス（ＴＩＭ）及び受信システム２の受信インピーダンス（ＲＩＭ）にマッチングさせることが非常に難しいという問題点が発生する。
【０００７】
また、図１の出力ドライバーにおいて、補助信号（ＸＳＤＲ）の初期ドライビング時点が固定的である。それ故に、従来の出力ドライバーでは、出力信号の初期強化時点を調整しにくいという問題点も発生する。
【０００８】
また、図１の出力ドライバーにおいて、補助信号（ＸＳＤＲ）の初期ドライビング幅も固定的である。それ故に。従来の出力ドライバーでは、出力信号の初期強化幅を調整しにくいという問題点も発生する。
【発明の開示】
【発明が解決しようとする課題】
【０００９】
したがって、本発明の第１の目的は、出力インピーダンスを伝送インピーダンス及び受信インピーダンスに效率的にマッチングさせることができる出力ドライバーを提供するところにある。
【００１０】
そして、本発明の第２の目的は、出力信号の初期強化時点を調整できる出力ドライバーを提供するところにある。
【００１１】
そして、本発明の第３の目的は、出力信号の初期強化幅を調整できる出力ドライバーを提供するところにある。
【課題を解決するための手段】
【００１２】
前記のような第１の技術的課題を達成するための本発明の第１の側面は、所定のメイン信号と補助信号の結合による出力信号を所定の伝送線で発生する出力ドライバーに関する。本発明の出力ドライバーは、所定のメインインピーダンスで、受信されるデータ信号に応じた前記メイン信号を前記伝送線に発生するメインドライビング回路と、前記メイン信号の前記伝送線での発生初期に前記出力信号を強化するための補助ドライビング回路であって、所定の補助インピーダンスで、前記データ信号に応じた補助信号を前記伝送線に発生する前記補助ドライビング回路と、所定の外部制御信号群に対応して論理状態が制御されるインピーダンス制御信号群を発生するモードレジスターセットと、を備える。前記補助インピーダンスは、前記インピーダンス制御信号群によって制御可能である。
【００１３】
前記のような第２の技術的課題を達成するための本発明の第２の側面も、所定のメイン信号と補助信号の結合による出力信号を所定の伝送線で発生する出力ドライバーに関する。本発明の出力ドライバーは、所定のメインインピーダンスで、受信されるデータ信号に応じた前記メイン信号を前記伝送線に発生するメインドライビング回路と、前記メイン信号の前記伝送線での発生初期に前記出力信号を強化するための補助ドライビング回路であって、所定の補助インピーダンスで、前記データ信号に応じた補助信号を前記伝送線に発生する前記補助ドライビング回路と、所定の外部制御信号群に対応して論理状態が制御されるインピーダンス制御信号群を発生するモードレジスターセットと、を備える。前記補助信号のドライビング幅は、前記ドライビング幅制御信号群によって調整される。
【００１４】
前記のような第３の技術的課題を達成するための本発明の第３の側面も、所定のメイン信号と補助信号の結合による出力信号を所定の伝送線で発生する出力ドライバーに関する。本発明の出力ドライバーは、所定のメインインピーダンスで、受信されるデータ信号に応じた前記メイン信号を前記伝送線に発生するメインドライビング回路と、前記メイン信号の前記伝送線での発生初期に前記出力信号を強化するための補助ドライビング回路であって、所定の補助インピーダンスで、前記データ信号に応じた補助信号を前記伝送線に発生する前記補助ドライビング回路と、所定の外部制御信号群に対応して論理状態が制御されるインピーダンス制御信号群を発生するモードレジスターセットと、を備える。前記補助信号のドライビング時点は、前記遅延制御信号群によって調整される。
【発明の効果】
【００１５】
前記のような本発明の出力ドライバーは、データ信号によるメイン信号を所定の伝送線で出力及びドライビングするメインドライビング回路、補助信号を前記伝送線に出力及びドライビングする補助ドライビング回路及びモードレジスターセットを備える。そして、モードレジスターセットは、インピーダンス制御信号群、ドライビング幅制御信号群及び遅延制御信号群を生成する。そして、前記インピーダンス制御信号群、前記ドライビング幅制御信号群及び前記遅延制御信号群に応じて、補助インピーダンス（ＳＩＭ）の大きさ、補助信号（ＸＳＤＲ）のドライビング幅及びドライビング時点に対する制御が可能である。
【００１６】
したがって、本発明の出力ドライバーによれば、出力インピーダンス（ＯＩＭ）の大きさ、初期強化幅及び初期強化時点に対する調節が容易であり、出力信号の受信システムでの伝送效率が向上する。
【発明を実施するための最良の形態】
【００１７】
本発明と本発明の動作上の利点及び本発明の実施によって達成される目的を充分に理解するためには、本発明の望ましい実施形態を例示する添付図面及び添付図面に記載された内容が参照されるべきである。各図面において、同一の構成要素には可能な限り同一の参照符号が付されている。また、下記の説明で、具体的な回路構成のような多くの詳細事項は本発明のより全般的な理解を提供するためにのみ記述される。しかし、これら詳細事項がなくても、本発明が実施されうることは、当業者には自明な事実である。そして、本発明の要旨を埋没させる恐れがあると判断される公知機能及び構成に対する詳細な記述は省略する。
【００１８】
以下、添付した図面を参照して本発明の望ましい実施形態を説明することで、本発明を詳細に説明する。
【００１９】
図２は、本発明の一実施形態による出力ドライバーを示すブロック図である。本発明の一実施形態の出力ドライバーは、受信されるデータ信号（ＤＡＴ）に対して、所定の出力インピーダンス（ＯＩＭ）で出力信号（ＤＯＵＴ）をドライビングする。
【００２０】
図２を参照すれば、本発明の一実施形態の出力ドライバーは、メインドライビング回路１００、補助ドライビング回路２００及びモードレジスターセット３００を備える。
【００２１】
メインドライビング回路１００は、受信されるデータ信号（ＤＡＴ）に応じてメイン信号（ＸＭＤＲ）を伝送線１に発生する。そして、補助ドライビング回路２００は、受信されるデータ信号（ＤＡＴ）に応じて補助信号（ＸＳＤＲ）を伝送線１に発生する。そして、メイン信号（ＸＭＤＲ）と補助信号（ＸＳＤＲ）は結合されて、’出力信号（ＤＯＵＴ）’になる。
【００２２】
本明細書では、メインドライビング回路１００単独の出力端のインピーダンスを’メインインピーダンス（ＭＩＭ）’と呼び、補助ドライビング回路２００単独の出力端のインピーダンスを’補助インピーダンス（ＳＩＭ）’と呼ぶ。そして、本実施形態の出力ドライバーのインピーダンスは、’出力インピーダンス（ＯＩＭ）’と呼ぶ。ここで、’出力インピーダンス（ＯＩＭ）’は、’メインインピーダンス（ＭＩＭ）’と’補助インピーダンス（ＳＩＭ）’の結合で決定される。
【００２３】
モードレジスターセット３００は、外部制御信号群（ＥＸＣＯＮ）を受信し、インピーダンス制御信号群（ＸＩＭ）、ドライビング幅制御信号群（ＸＤＲ）及び遅延制御信号群（ＸＤＥ）を生成する。本実施形態では、インピーダンス制御信号群（ＸＩＭ）、ドライビング幅制御信号群（ＸＤＲ）及び遅延制御信号群（ＸＤＥ）の各々は、複数個の信号で構成される。ここで、インピーダンス制御信号群（ＸＩＭ）、ドライビング幅制御信号群（ＸＤＲ）及び遅延制御信号群（ＸＤＥ）の信号は、複数個の信号で構成される外部制御信号群（ＥＸＣＯＮ）に応じて論理状態が制御される。
【００２４】
補助ドライビング回路２００は、具体的には、初期強化ドライビング部２１０及びドライビング制御信号発生部２３０を備える。初期強化ドライビング部２１０は、プルアップ制御信号（／ＵＰＣＯＮ）に応答して補助信号（ＸＳＤＲ）をプルアップするように駆動される。そして、初期強化ドライビング部２１０は、プルダウン制御信号（ＤＮＣＯＮ）に応答して、補助信号（ＸＳＤＲ）をプルダウンするように駆動される。ここで、初期強化ドライビング部２１０の出力端（補助ドライビング回路２００の出力端でもある）のインピーダンスである補助インピーダンス（ＳＩＭ）は、モードレジスターセット３００から提供されるインピーダンス制御信号群（ＸＩＭ）に応じて調整される。
【００２５】
図３は、図２の初期強化ドライビング部２１０の例を示す図面である。図３を参照すれば、初期強化ドライビング部２１０は、プルアップ駆動手段２１１とプルダウン駆動手段２１２を備える。
【００２６】
プルアップ駆動手段２１１は、プルアップ制御信号（／ＵＰＣＯＮ）が”Ｌ（ロー）”に活性化されている間（ｔ１，図４参照）に、補助信号（ＸＳＤＲ）をプルアップするように駆動される。そして、プルダウン駆動手段２１２は、プルダウン制御信号（ＤＮＣＯＮ）が”Ｈ（ハイ）”に活性化されている間（ｔ２，図４参照）に、補助信号（ＸＳＤＲ）をプルダウンするように駆動される。
【００２７】
図３において、信号ＸＩＭ＜１＞〜ＸＩＭ＜２＞は、インピーダンス制御信号群（ＸＩＭ）に含まれる信号を示し、信号ＸＩＭ＜１Ｂ＞〜ＸＩＭ＜２Ｂ＞の各々は、信号ＸＩＭ＜１＞〜ＸＩＭ＜２＞の反転信号を示す。
【００２８】
この時、プルアップ駆動手段２１１及びプルダウン駆動手段２１２のコンダクタンスは、インピーダンス制御信号群（ＸＩＭ）によって調整される。すなわち、”ＸＩＭ＜１＞”が”Ｈ”で、信号”ＸＩＭ＜２＞”が”Ｌ”の場合に、補助インピーダンス（ＳＩＭ）は、相対的に大きい値である。そして、信号”ＸＩＭ＜１＞”と信号”ＸＩＭ＜２＞”がすべて”Ｈ”の場合に、補助インピーダンス（ＳＩＭ）は、相対的に小さな値である。
【００２９】
図４において、ＣＡＳＥ１２として示された補助信号（ＸＳＤＲ）は、ＣＡＳＥ１１として示された補助信号（ＸＳＤＲ）よりも急峻な（大きな）傾きを有する。ここで、ＣＡＳＥ１１は、信号”ＸＩＭ＜１＞”が”Ｈ”で、信号”ＸＩＭ＜２＞”が”Ｌ”の場合を示す。そして、ＣＡＳＥ１２は、信号”ＸＩＭ＜１＞”と信号”ＸＩＭ＜２＞”がすべて”Ｈ”の場合を示す。
【００３０】
結果的に、ＣＡＳＥ１２の場合には、ＣＡＳＥ１１の場合と比べて、本発明の実施形態の出力ドライバーの全体的な出力インピーダンス（ＯＩＭ）が減少し、ドライビング初期の出力信号（ＤＯＵＴ）のプルアップレベルが上昇する（ｈ，図４参照）。
【００３１】
図５は、図２の初期強化ドライビング部２１０の他の例２１０’を示す図面である。図５を参照すれば、初期強化ドライビング部２１０’は、第１駆動手段２１３と第２駆動手段２１４を備える。ここで、第１駆動手段２１３は、信号ＸＩＭ１に応答してイネーブルされ、第２駆動手段２１４は、信号ＸＩＭ２に応答してイネーブルされる。
【００３２】
図６は、図２の初期強化ドライビング部２１０の更に他の例２１０”を示す図面である。図６を参照すれば、初期強化ドライビング部２１０’’は、第３駆動手段２１５と第４駆動手段２１６を備える。ここで、第３駆動手段２１５は、信号ＸＩＭ１に応答してイネーブルされ、第４駆動手段２１６は、信号ＸＩＭ２に応答してイネーブルされる。
【００３３】
図５及び図６に図示される初期強化ドライビング部２１０’、２１０’’でも、図３に図示される初期強化ドライビング部２１０と同じく、信号ＸＩＭ１及び信号ＸＩＭ２によってドライビング初期の出力信号（ＤＯＵＴ）のプルアップレベルが調整される。
【００３４】
このようにドライビング初期の出力信号（ＤＯＵＴ）のプルアップレベルが調整されることで、出力ドライバーの出力インピーダンス（ＯＩＭ）は、伝送端１の伝送インピーダンス（ＴＩＭ）及び受信システム２の受信インピーダンス（ＲＩＭ）に応じた値に設定されうる。その結果、本発明に係る出力ドライバーでは、出力信号（ＤＯＵＴ）の受信システム２における伝送效率が向上されうる。
【００３５】
また、図２を参照すれば、ドライビング制御信号発生部２３０は、プルアップ発生手段２３１及びプルダウン発生手段２３３を備える。プルアップ発生手段２３１は、プルアップ制御信号（／ＵＰＣＯＮ）を発生する。プルダウン発生手段２３３は、プルダウン制御信号（ＤＮＣＯＮ）を発生する。ここで、プルアップ制御信号（／ＵＰＣＯＮ）とプルダウン制御信号（ＤＮＣＯＮ）は、窮極的にデータ信号（ＤＡＴ）に応答して活性化される。
【００３６】
一方、プルアップ発生手段２３１とプルダウン発生手段２３３は、モードレジスターセット３００から提供されるドライビング幅制御信号群（ＸＤＲ）によって制御される。すなわち、プルアップ制御信号（／ＵＰＣＯＮ）及びプルダウン制御信号（ＤＮＣＯＮ）のドライビング幅は、ドライビング幅制御信号群（ＸＤＲ）によって制御される。このように、プルアップ制御信号（／ＵＰＣＯＮ）及びプルダウン制御信号（ＤＮＣＯＮ）のドライビング幅が制御されることで、出力ドライバーにおいて、出力信号（ＤＯＵＴ）のドライビング初期の強化幅が制御される。
【００３７】
すなわち、図７に図示されるところのように、ＣＡＳＥ２１（プルアップ制御信号（／ＵＰＣＯＮ）及びプルダウン制御信号（ＤＮＣＯＮ）のドライビング幅が相対的に小さな場合）よりＣＡＳＥ２２（プルアップ制御信号（／ＵＰＣＯＮ）及び前記プルダウン制御信号（ＤＮＣＯＮ）のドライビング幅が相対的に大きい場合）において、出力信号（ＤＯＵＴ）のドライビング初期の強化幅が増加する。
【００３８】
このように出力信号（ＤＯＵＴ）のドライビング初期の強化幅を調節することで、出力ドライバーの出力信号（ＤＯＵＴ）から受信システム２への伝送效率が向上する。
【００３９】
また、図２を参照すれば、ドライビング制御信号発生部２３０は、プルアップ遅延手段２３５及びプルダウン遅延手段２３７を備える。プルアップ遅延手段２３５は、プルアップ発生手段２３１を制御して、窮極的にプルアップ制御信号（／ＵＰＣＯＮ）のドライビング時点の引き延ばしを調節する。プルダウン発生手段２３７は、プルダウン発生手段２３３を制御して、窮極的にプルダウン制御信号（ＤＮＣＯＮ）のドライビング時点の引き延ばしを調節する。ここで、プルアップ制御信号（／ＵＰＣＯＮ）及びプルダウン制御信号（ＤＮＣＯＮ）のドライビング時点の引き延ばしに対する調節は、モードレジスターセット３００から提供される遅延制御信号群（ＸＤＥ）に応じてなされる。
【００４０】
このように、プルアップ制御信号（／ＵＰＣＯＮ）及びプルダウン制御信号（ＤＮＣＯＮ）のドライビング時点の引き延ばしが制御されることで、補助信号（ＸＳＤＲ）のドライビング時点が調節される。
【００４１】
その結果、図８に図示されるところのように、ＣＡＳＥ３１（プルアップ制御信号（／ＵＰＣＯＮ）及びプルダウン制御信号（ＤＮＣＯＮ）のドライビング時点がメイン信号（ＸＭＤＲ）のドライビング時点に対して相対的に不一致である場合）よりＣＡＳＥ３２（プルアップ制御信号（／ＵＰＣＯＮ）及びプルダウン制御信号（ＤＮＣＯＮ）のドライビング時点がメイン信号（ＸＭＤＲ）のドライビング時点に相対的に一致する場合）において、出力信号（ＤＯＵＴ）のドライビング初期の強化幅が増加する。
【００４２】
このように補助信号（ＸＳＤＲ）のドライビング時点が調節されて、出力信号（ＤＯＵＴ）のドライビング初期の強化幅が調節される。これによって、出力ドライバーの出力信号（ＤＯＵＴ）から受信システム２への伝送效率が向上する。
【００４３】
また、前述したいように、モードレジスターセット３００は、外部制御信号群（ＥＸＣＯＮ）を受信し、インピーダンス制御信号群（ＸＩＭ）、ドライビング幅制御信号群（ＸＤＲ）及び遅延制御信号群（ＸＤＥ）を生成する。すなわち、本発明の一実施形態の出力ドライバーでは、インピーダンス制御信号群（ＸＩＭ）、ドライビング幅制御信号群（ＸＤＲ）及び遅延制御信号群（ＸＤＥ）の信号の論理状態は、外部から提供される外部制御信号群によって容易く調節される。
【００４４】
その結果、補助インピーダンス（ＳＩＭ）の大きさ、補助信号（ＸＳＤＲ）のドライビング幅及びドライビング時点に対する制御が容易であり、したがって、出力ドライバーにおいて、出力インピーダンス（ＯＩＭ）の大きさ、初期強化幅及び初期強化時点に対する調節が容易である。
【００４５】
本発明は、図面に図示された一実施形態を参考に説明されたが、これは例示的なものに過ぎず、当業者ならばこれより多様な変形及び均等な他実施形態が可能であるという点を理解できるであろう。したがって、本発明の真の技術的保護範囲は、添付した特許請求範囲の技術的思想によって決まるべきである。
【産業上の利用可能性】
【００４６】
本発明は、出力インピーダンス（ＯＩＭ）の大きさ、初期強化幅及び初期強化時点に対する調節が容易であり、出力信号の受信システムでの伝送效率を向上させた出力ドライバーに関連し、半導体装置に適用可能である。
【図面の簡単な説明】
【００４７】
【図１】従来の出力ドライバーを示す図面である。
【図２】本発明の一実施形態による出力ドライバーを示すブロック図である。
【図３】図２の初期強化ドライビング部の例を示す図面である。
【図４】図２の出力ドライバーでの出力インピーダンスの制御による出力信号の変化を説明するための図面である。
【図５】図２の初期強化ドライビング部の他の例を示す図面である。
【図６】図２の初期強化ドライビング部のまた他の例を示す図面である。
【図７】図２の出力ドライバーでの初期強化幅による出力信号の変化を説明するための図面である。
【図８】図２の出力ドライバーでの初期強化時点の制御による出力信号の変化を説明するための図面である。
【符号の説明】
【００４８】
ＸＩＭ：インピーダンス制御信号群
ＸＤＲ：ドライビング幅制御信号群
ＸＤＥ：遅延制御信号群
ＭＩＭ：メインインピーダンス
ＳＩＭ：補助インピーダンス
ＯＩＭ：出力インピーダンス
ＤＡＴ：データ信号
ＸＭＤＲ：メイン信号
ＸＳＤＲ：補助信号
ＤＯＵＴ：出力信号
／ＵＰＣＯＮ：プルアップ制御信号
ＤＮＣＯＮ：プルダウン制御信号
【図１】
2007104664.tif 000003
【図２】
2007104664.tif 000004
【図３】
2007104664.tif 000005
【図４】
2007104664.tif 000006
【図５】
2007104664.tif 000007
【図６】
2007104664.tif 000008
【図７】
2007104664.tif 000009
【図８】
2007104664.tif 000010